(57)【特許請求の範囲】
【請求項１】
通信を介して電気錠を解錠可能な解錠装置であって、
上記解錠装置は、記憶部、解錠許可要求取得部、携帯端末特定部、通知部、解錠指示取得部、および解錠指示部を備え、
上記記憶部には、上記電気錠を特定する電気錠特定情報と、該電気錠を解錠するための鍵を特定する鍵特定情報と、携帯端末を特定する携帯端末特定情報と、が対応付けられた対応付けテーブルが記憶されており、
上記解錠許可要求取得部は、上記電気錠を解錠するために必要な解錠許可を求める解錠許可要求を該電気錠から取得し、
上記携帯端末特定部は、上記対応付けテーブルを用いて、上記解錠許可要求に含まれる上記電気錠を特定する上記電気錠特定情報と対応する上記携帯端末特定情報を特定し、
上記通知部は、上記携帯端末特定情報によって特定される携帯端末に上記電気錠の解錠許可要求を通知し、
上記解錠指示取得部は、上記携帯端末から解錠許可を取得し、
上記解錠指示部は、上記対応付けテーブルを用いて、上記解錠許可に含まれる上記鍵特定情報と対応する上記電気錠特定情報を特定し、上記電気錠特定情報によって特定される上記電気錠に解錠指示を送信する。
【請求項２】
請求項１に記載の解錠装置では、
上記解錠許可には、送信元である上記携帯端末を特定する上記携帯端末特定情報と、上記鍵特定情報とが含まれており、
上記解錠指示部は、上記携帯端末特定情報と上記鍵特定情報との対応付けが、上記対応付けテーブルに含まれている場合、上記解錠指示を上記電気錠に送信する。
【請求項３】
請求項１または２に記載の解錠装置では、さらに認証番号提示部を備え、
上記認証番号提示部は、上記電気錠を解錠する解錠許可を送信可能な上記携帯端末が複数ある場合、上記電気錠に当該電気錠の近傍に対して認証番号を提示させ、
上記通知部は、上記認証番号を送信してきた上記携帯端末に、上記解錠許可要求を通知する。
【請求項４】
請求項１〜３のいずれか１項に記載の解錠装置では、さらに、対応情報取得部を備え、
上記対応情報取得部は、上記電気錠特定情報と上記鍵特定情報と上記携帯端末特定情報とを対応付けた対応情報を上記電気錠から予め取得する。
【請求項５】
解錠装置によって通信を介して解錠可能な電気錠であって、
上記電気錠は、対応付け部を備え、
上記対応付け部は、自錠を解錠可能な鍵を特定する鍵特定情報、および、自錠の解錠を許可可能な携帯端末を特定する携帯端末特定情報を取得して、自錠を特定する電気錠特定情報と、上記鍵特定情報と、上記携帯端末特定情報とを対応付けて、上記解錠装置に送信する。
【請求項６】
電気錠と、該電気錠と通信可能で該電気錠を解錠可能な解錠装置と、該解錠装置と通信可能な携帯端末とを含む解錠システムであって、
上記解錠装置は、
上記電気錠を特定する電気錠特定情報と、該電気錠を解錠するための鍵を特定する鍵特定情報と、携帯端末を特定する携帯端末特定情報と、が対応付けられた対応付けテーブルを記憶しており、
上記電気錠を解錠するために必要な解錠許可を求める解錠許可要求を該電気錠から取得し、
上記対応付けテーブルを用いて、上記解錠許可要求に含まれる上記電気錠を特定する上記電気錠特定情報と対応する上記携帯端末特定情報を特定し、
上記携帯端末特定情報によって特定される携帯端末に上記電気錠の解錠許可要求を通知し、
上記携帯端末から解錠許可を取得し、
上記対応付けテーブルを用いて、上記解錠許可に含まれる上記鍵特定情報と対応する上記電気錠特定情報を特定し、上記電気錠特定情報によって特定される上記電気錠に解錠指示を送信し、
上記携帯端末は、
上記解錠装置から、上記電気錠を解錠するために必要な解錠許可を求める解錠許可要求を取得し、
上記解錠許可要求に対する解錠許可を、上記電気錠を解錠するための鍵を特定した鍵特定情報を含めて上記解錠装置に送信する。
【請求項７】
通信を介して電気錠を解錠可能な解錠装置の制御方法であって、
上記解錠装置の制御方法は、解錠許可要求取得ステップ、携帯端末特定ステップ、通知ステップ、解錠指示取得ステップ、および解錠指示ステップを含み、
記憶部には、上記電気錠を特定する電気錠特定情報と、該電気錠を解錠するための鍵を特定する鍵特定情報と、携帯端末を特定する携帯端末特定情報と、が対応付けられた対応付けテーブルが記憶されており、
上記解錠許可要求取得ステップでは、上記電気錠を解錠するために必要な解錠許可を求める解錠許可要求を該電気錠から取得し、
上記携帯端末特定ステップでは、上記対応付けテーブルを用いて、上記解錠許可要求に含まれる上記電気錠を特定する上記電気錠特定情報と対応する上記携帯端末特定情報を特定し、
上記通知ステップでは、上記携帯端末特定情報によって特定される携帯端末に上記電気錠の解錠許可要求を通知し、
上記解錠指示取得ステップでは、上記携帯端末から解錠許可を取得し、
上記解錠指示ステップでは、上記対応付けテーブルを用いて、上記解錠許可に含まれる上記鍵特定情報と対応する上記電気錠特定情報を特定し、上記電気錠特定情報によって特定される上記電気錠に解錠指示を送信する。
【請求項８】
請求項１に記載の解錠装置としてコンピュータを機能させるための制御プログラムであって、上記解錠許可要求取得部、上記携帯端末特定部、上記通知部、上記解錠指示取得部、および上記解錠指示部としてコンピュータを機能させるための制御プログラム。
【請求項９】
請求項８に記載の制御プログラムを記録したコンピュータ読み取り可能な記録媒体。
【発明の詳細な説明】
【技術分野】
【０００１】
本発明は、電気錠を解錠可能な解錠装置、解錠装置に解錠指示を送信する携帯端末、および、これらを含む解錠システム等に関する。
【背景技術】
【０００２】
近年、ＩＣチップを備えたカードや、スマートフォンにより解錠可能な電気錠が普及してきている。例えば、特許文献１には、１台の携帯端末装置を複数の車両の鍵として用いることができる技術が開示されている。また、非特許文献１には、鍵と錠との間で近距離無線通信を行い、鍵が錠から所定範囲に存在するときに解錠可能となるシステムが記載されている。また、非特許文献２には、鍵の位置情報を取得し、鍵が所定位置にきたときに解錠するシステムが記載されている。
【先行技術文献】
【特許文献】
【０００３】
【特許文献１】特開２００７−２３１６５４号公報（２００７年９月１３日公開）
【非特許文献】
【０００４】
【非特許文献１】マツダアドバンストキーレスエントリー＆スタートシステム，［ｏｎｌｉｎｅ］，２００５年，マツダ株式会社，［平成２８年１月１５日検索］，インターネット＜URL: http://www.mazda.com/contentassets/2c626300a00d406e9371fb2f96f9d36f/files/2005_no014.pdf>
【非特許文献２】Qrio Smart Lock，［ｏｎｌｉｎｅ］，２０１５年１１月２９日，Ｑｒｉｏ株式会社，［平成２８年１月２２日検索］，インターネット＜http://anywher.net/2015/11/qrio-smart-lock/＞
【発明の概要】
【発明が解決しようとする課題】
【０００５】
しかしながら、上述した従来技術は以下の問題がある。特許文献１に記載された技術は、近距離無線通信の技術が必要であり、近距離になければ通信することができない。また、非特許文献１に記載された技術も同様に、近距離無線通信の技術が必要であり、近距離になければ通信することができない。また、非特許文献２に記載された技術は、位置情報を正確に取得できなければ、解錠すべきときに解錠できず、解錠すべきでないときに解錠してしまうということが起こり、セキュリティ上の問題がある。
【０００６】
本発明は、前記の問題点に鑑みてなされたものであり、その目的は、セキュリティを保ちつつ、適切に解錠可能な解錠システム等を実現することにある。
【課題を解決するための手段】
【０００７】
上記課題を解決するために、本発明に係る解錠装置は、通信を介して電気錠を解錠可能な解錠装置であって、上記解錠装置は、記憶部、解錠許可要求取得部、携帯端末特定部、通知部、解錠指示取得部、および解錠指示部を備え、上記記憶部には、上記電気錠を特定する電気錠特定情報と、該電気錠を解錠するための鍵を特定する鍵特定情報と、携帯端末を特定する携帯端末特定情報と、が対応付けられた対応付けテーブルが記憶されており、上記解錠許可要求取得部は、上記電気錠を解錠するために必要な解錠許可を求める解錠許可要求を該電気錠から取得し、上記携帯端末特定部は、上記対応付けテーブルを用いて、上記解錠許可要求に含まれる上記電気錠を特定する上記電気錠特定情報と対応する上記携帯端末特定情報を特定し、上記通知部は、上記携帯端末特定情報によって特定される携帯端末に上記電気錠の解錠許可要求を通知し、上記解錠指示取得部は、上記携帯端末から解錠許可を取得し、上記解錠指示部は、上記対応付けテーブルを用いて、上記解錠許可に含まれる上記鍵特定情報と対応する上記電気錠特定情報を特定し、上記電気錠特定情報によって特定される上記電気錠に解錠指示を送信することを特徴としている。
【０００８】
また、上記課題を解決するために、本発明に係る携帯端末は、通信を介して電気錠を解錠可能な解錠装置と通信可能な携帯端末であって、上記携帯端末は、取得部および送信部を備え、上記取得部は、上記解錠装置から、上記電気錠を解錠するために必要な解錠許可を求める解錠許可要求を取得し、上記送信部は、上記解錠許可要求に対する解錠許可を、電気錠を解錠するための鍵を特定した鍵特定情報を含めて上記解錠装置に送信することを特徴としている。
【０００９】
また、上記課題を解決するために、本発明に係る解錠システムは、電気錠と、該電気錠と通信可能で該電気錠を解錠可能な解錠装置と、該解錠装置と通信可能な携帯端末とを含む解錠システムであって、上記解錠装置は、上記電気錠を特定する電気錠特定情報と、該電気錠を解錠するための鍵を特定する鍵特定情報と、携帯端末を特定する携帯端末特定情報と、が対応付けられた対応付けテーブルを記憶しており、上記電気錠を解錠するために必要な解錠許可を求める解錠許可要求を該電気錠から取得し、上記対応付けテーブルを用いて、上記解錠許可要求に含まれる上記電気錠を特定する上記電気錠特定情報と対応する上記携帯端末特定情報を特定し、上記携帯端末特定情報によって特定される携帯端末に上記電気錠の解錠許可要求を通知し、上記携帯端末から解錠許可を取得し、上記対応付けテーブルを用いて、上記解錠許可に含まれる上記鍵特定情報と対応する上記電気錠特定情報を特定し、上記電気錠特定情報によって特定される上記電気錠に解錠指示を送信し、上記携帯端末は、上記解錠装置から、上記電気錠を解錠するために必要な解錠許可を求める解錠許可要求を取得し、上記解錠許可要求に対する解錠許可を、電気錠を解錠するための鍵を特定した鍵特定情報を含めて上記解錠装置に送信することを特徴としている。
【００１０】
また、上記課題を解決するために、本発明に係る解錠装置の制御方法は、通信を介して電気錠を解錠可能な解錠装置の制御方法であって、上記解錠装置の制御方法は、解錠許可要求取得ステップ、携帯端末特定ステップ、通知ステップ、解錠指示取得ステップ、および解錠指示ステップを含み、記憶部には、上記電気錠を特定する電気錠特定情報と、該電気錠を解錠するための鍵を特定する鍵特定情報と、携帯端末を特定する携帯端末特定情報と、が対応付けられた対応付けテーブルが記憶されており、上記解錠許可要求取得ステップでは、上記電気錠を解錠するために必要な解錠許可を求める解錠許可要求を該電気錠から取得し、上記携帯端末特定ステップでは、上記対応付けテーブルを用いて、上記解錠許可要求に含まれる上記電気錠を特定する上記電気錠特定情報と対応する上記携帯端末特定情報を特定し、上記通知ステップでは、上記携帯端末特定情報によって特定される携帯端末に上記電気錠の解錠許可要求を通知し、上記解錠指示取得ステップでは、上記携帯端末から解錠許可を取得し、上記解錠指示ステップでは、上記対応付けテーブルを用いて、上記解錠許可に含まれる上記鍵特定情報と対応する上記電気錠特定情報を特定し、上記電気錠特定情報によって特定される上記電気錠に解錠指示を送信することを特徴としている。
【００１１】
また、上記課題を解決するために、本発明に係る携帯端末の制御方法は、通信を介して電気錠を解錠可能な解錠装置と通信可能な携帯端末の制御方法であって、上記携帯端末の制御方法では、取得ステップおよび送信ステップを含み、上記取得ステップでは、上記解錠装置から、上記電気錠を解錠するために必要な解錠許可を求める解錠許可要求を取得し、上記送信ステップでは、上記解錠許可要求に対する解錠許可を、電気錠を解錠するための鍵を特定した鍵特定情報を含めて上記解錠装置に送信することを特徴としている。
【発明の効果】
【００１２】
本発明によれば、解錠装置は、電気錠から解錠許可要求を取得すると、当該解錠許可要求に含まれる電気錠を特定する情報から、対応する携帯端末を検索する。そして、対応する携帯端末に解錠許可要求を送信し、解錠許可を取得する。そして、解錠許可要求の送信元である電気錠に対し、解錠指示を送信する。
【００１３】
これにより、電気錠と対応する携帯端末から解錠許可を取得して、解錠許可要求の送信元となる電気錠を解錠するので、セキュリティを保ちつつ解錠処理を行うことができるという効果を奏する。また、電気錠と携帯端末との対応付けから電気錠を解錠するので、簡易な処理で解錠を行うことができるという効果を奏する。さらに、解錠装置と携帯端末とが通信を行い、解錠装置と電気錠とが通信を行って、解錠処理を実行するので、携帯端末のユーザが電気錠の近傍にいなくても解錠処理を実行することができるという効果を奏する。
【図面の簡単な説明】
【００１４】
【図１】本実施形態に係るサーバ、携帯端末、および電気錠の要部構成を示すブロック図である。
【図２】本実施形態に係る解錠システムの概要を示す図である。
【図３】電気錠、鍵、携帯端末対応テーブルの例を示す図であり、（ａ）は電気錠と携帯端末とが１対１で対応している例を示す図であり、（ｂ）は電気錠と携帯端末とは多対１で対応している例を示す図であり、（ｃ）は電気錠と携帯端末とが１対多で対応している例を示す図である。
【図４】携帯端末と電気錠とカードキーとを対応付ける処理の流れを示すシーケンス図である。
【図５】携帯端末と電気錠とカードキーとを対応付ける方法を説明するための図であり、（ａ）は電気錠とカードキーとを対応付ける方法を説明するための図であり、（ｂ）は電気錠と携帯端末とを対応付ける方法を説明するための図であり、（ｃ）はカードキーが既に登録されている場合における電気錠と携帯端末との対応付け方法を説明するための図であり、（ｄ）は携帯端末とカードキーとの対応付ける方法を説明するための図である。
【図６】解錠処理の流れを示すシーケンス図である。
【図７】解錠処理の流れを説明するための図である。
【図８】１台の携帯端末に複数の電気錠が対応付けられている例を説明するための図である。
【図９】１つの電気錠に複数の携帯端末が対応付けられている例を説明するための図である。
【図１０】解錠許可が可能な装置の例を示す図である。
【図１１】携帯端末またはサーバとして利用可能なコンピュータの構成を例示したブロック図である。
【発明を実施するための形態】
【００１５】
〔実施形態１〕
〔解錠システムの概要〕
以下、本発明の実施の形態について、詳細に説明する。まず、図２を参照して、本実施形態に係る解錠システム１００について説明する。図２は、解錠システム１００の概要を示す図である。図２に示すように、解錠システム１００は、サーバ（解錠装置）２と、電気錠３と、携帯端末１とを含み、サーバ２とサーバ３とが通信可能であるとともに携帯端末１とサーバ２とが通信可能であり、電気錠３の解錠を、サーバ２を介して携帯端末１により行うことにより、セキュリティを保ちつつ、容易な解錠処理を実行するものである。具体的には、以下の通り解錠処理を実行する。
【００１６】
例えば、ユーザ（解錠要求者）が電気錠３の解錠するためのカードキー４を忘れた場合、解錠するための特殊コマンド（例えば、「＃＃＃＃」）を電気錠３に入力する。特殊コマンドが入力された電気錠３は、特殊コマンドが入力されたこと、および当該電気錠３を特定する情報（電気錠ＩＤ）を、解錠許可要求として、サーバ２に送信する。サーバ２では、錠ＩＤに対応付けられた携帯端末１を検索し、当該携帯端末１に対し、電気錠３を解錠するための、解錠許可要求を送信する。解錠許可要求を受信した携帯端末１のユーザ（例えば、管理人：解錠許可者）は、解錠許可をサーバ２に送信する。解錠許可には、携帯端末１を特定する携帯端末ＩＤと、電気錠３を解錠するためのカードキー４を特定するための鍵ＩＤとが含まれている。
【００１７】
なお、電気錠ＩＤは、電気錠３そのものを特定するものであってもよいし、電気錠３が備えられている部屋の番号等であってもよい。
【００１８】
また、特殊コマンドは、解錠を依頼するためのコードであり秘密性はない。また、専用のボタン（例えば、管理人呼び出しボタン）を別途設けて、これを特殊コマンドとすることも可能である。ただし、使用頻度が少ないことが考えられるため、既存のボタン操作を組み合わせたものが適当である。さらに、特殊コマンドは全電気錠で共通でもよいし、電気錠ごとに異なるものを自動で設定してもよいし（例えば、「電気錠ＩＤ+＃」、ランダムに設定等）、数字、♯、＊等の文字の任意の組み合わせをあらかじめ設定しておいてもよい。また、都度、管理人（開錠許可者）がワンタイムパスワードのように遠隔で設定できてもよい。
【００１９】
携帯端末ＩＤと鍵ＩＤとを取得したサーバ２では、当該携帯端末ＩＤと鍵ＩＤとの対応付けが、予め登録されているものと一致するか否か判定し、一致すると判定した場合、電気錠３の解錠指示を電気錠３に送信する。これにより、電気錠３を解錠することができる。
【００２０】
以上のように、本実施形態では、例えば、ユーザ（解錠要求者）が、電気錠３の解錠するためのカードキー４を忘れた場合等に、電気錠３を解錠可能な携帯端末１を所有している管理人（解錠許可者）等に連絡がいくことにより、管理人が遠隔地から携帯端末１を用いて、セキュリティを保ちつつ、電気錠３を解錠することができる。
【００２１】
〔サーバ、携帯端末、電気錠の構成〕
次に、図１を参照して、本実施形態に係るサーバ２、携帯端末１、および電気錠３の要部構成について説明する。図１は、サーバ２、携帯端末１、および電気錠３の要部構成を示すブロック図である。
【００２２】
図１に示すように、サーバ２は、解錠処理部２０、記憶部３０、およびペアリング情報取得部（対応情報取得部）４０を含み、解錠処理部２０は、特定情報受付部（解錠許可要求取得部）２０１、携帯端末検索部（携帯端末特定部）２０２、携帯端末通知部（通知部）２０３、解錠指示受付部（解錠指示取得部）２０４、携帯端末判定部２０５、および解錠部２０６を含む。また、記憶部３０には、電気錠、鍵、携帯端末対応テーブル３０１が格納されている。
【００２３】
図３を参照して、電気錠、鍵、携帯端末対応テーブル３０１の例を説明する。図３は、電気錠、鍵、携帯端末対応テーブル３０１の例を示す図であり、（ａ）は電気錠３と携帯端末１とが１対１で対応している例を示す図であり、（ｂ）は電気錠３と携帯端末１とは多対１で対応している例を示す図であり、（ｃ）は電気錠３と携帯端末１とが１対多で対応している例を示す図である。なお、（ｂ）および（ｃ）の例は、後述する実施形態２以降で説明する。
【００２４】
図３（ａ）に示すように、電気錠３と携帯端末１とが１対１で対応している場合、電気錠、鍵、携帯端末対応テーブル３０１には、電気錠３を特定する電気錠ＩＤ（電気錠特定情報）、携帯端末１を特定する携帯端末ＩＤ（携帯端末特定情報）、当該電気錠３を解錠するためのカードキー４の特定する鍵ＩＤ（鍵特定情報）が対応付けられて格納されている。図３（ａ）に示す例では、電気錠ＩＤ「Ｋ０００１」、携帯端末ＩＤ「Ｓ０００１」、および鍵ＩＤ「１１１１−２２２２−３３３３」が対応付けられている。また、電気錠ＩＤ「Ｋ０００２」、携帯端末ＩＤ「Ｓ０００２」、および鍵ＩＤ「３３３３−４４４４−５５５５」が対応付けられている。
【００２５】
ペアリング情報取得部４０は、上記電気錠、鍵、携帯端末対応テーブル３０１の対応付け情報を電気錠３から取得し、記憶部３０に格納する。
【００２６】
解錠処理部２０は、電気錠３の解錠処理を実行するものであり、上述したように、特定情報受付部２０１、携帯端末検索部２０２、携帯端末通知部２０３、解錠指示受付部２０４、携帯端末判定部２０５、および解錠部２０６を含む。
【００２７】
特定情報受付部２０１は、電気錠３から当該電気錠を特定する電気錠ＩＤと、電気錠３を解錠するための特殊コマンドを解錠許可要求として取得する。そして、取得した電気錠ＩＤを携帯端末検索部２０２に通知する。
【００２８】
携帯端末検索部２０２は、特定情報受付部２０１から通知された電気錠ＩＤと対応付けられた携帯端末１を、電気錠、鍵、携帯端末対応テーブル３０１を用いて検索する。そして、電気錠ＩＤと対応付けられた携帯端末１を検索結果として携帯端末通知部２０３に通知する。
【００２９】
携帯端末通知部２０３は、携帯端末検索部２０２から通知された携帯端末１に対し、電気錠３を解錠するための解錠許可要求を送信する。
【００３０】
解錠指示受付部２０４は、携帯端末１から、解錠許可として、携帯端末ＩＤおよび鍵ＩＤを取得し、取得した、携帯端末ＩＤと鍵ＩＤとを対応付けたまま携帯端末判定部２０５に通知する。
【００３１】
携帯端末判定部２０５は、解錠指示受付部２０４から通知された携帯端末ＩＤと鍵ＩＤとの対応付けと、電気錠、鍵、携帯端末対応テーブル３０１の対応付けとを比較し、解錠指示受付部２０４から通知された、携帯端末ＩＤと鍵ＩＤとの対応付けが、電気錠、鍵、携帯端末対応テーブル３０１に存在すれば、正しい対応付けと判定し、当該、携帯端末ＩＤと鍵ＩＤとが対応付けられている電気錠ＩＤの解錠指示を解錠部２０６に通知する。
【００３２】
解錠部２０６は、携帯端末判定部２０５から通知された電気錠ＩＤの電気錠３を解錠する指示を電気錠３に送信する。
【００３３】
また、図１に示すように、携帯端末１は、電気錠処理部５０、記憶部６０、操作受付部７０、および表示部８０を含む。
【００３４】
記憶部６０は、キーテーブル６１を含む。キーテーブル６１は、携帯端末１において取得したカードキー４の鍵ＩＤを自端末の携帯端末ＩＤと対応付けたものである。
【００３５】
電気錠処理部５０は、電気錠３の解錠指示の処理を実行するものであり、錠提示部（表示制御部、取得部）５１、解錠指示部（送信部）５２、およびペアリング部５３を含む。
【００３６】
錠提示部５１は、サーバ２から解錠許可要求を取得したときに、当該解錠許可要求によって特定される電気錠３を特定する錠表示を表示部８０にさせる。
【００３７】
解錠指示部５２は、錠提示部５１によって表示された錠表示を、操作受付部７０を介して操作（例えば、当該錠表示の画像を押下）されることにより、解錠許可を受け付け、サーバ２に送信する。サーバ２には、自端末を特定する携帯端末ＩＤとカードキー４を特定する鍵ＩＤとを対応付けて送信する。
【００３８】
ペアリング部５３は、自端末と対応付けられたカードキー４の鍵ＩＤをキーテーブル６１として記憶部６０に格納する。
【００３９】
操作受付部７０は、携帯端末１に対する操作を受け付けるものである。また、表示部８０は、各種情報を表示するものである。操作受付部７０および表示部８０は、例えば、タッチパネルにより構成され、両者が１つとなっているものであってもよい。
【００４０】
また、図１に示すように、電気錠３は、操作部３１、ペアリング部３２、および送受信部３３を含む。
【００４１】
操作部３１は、電気錠３に対する操作を受け付けるものであり、例えば、テンキーや登録のための受付ボタンにより構成されている。また、操作部３１には、カードキー４の鍵ＩＤや携帯端末１の携帯端末ＩＤを認識するための読み取り部が含まれていてもよい。
【００４２】
ペアリング部３２は、電気錠３と電気錠３を解錠するためのカードキー４の鍵ＩＤとを対応付けるとともに、電気錠３と携帯端末１の携帯端末ＩＤとを対応付ける。対応付けるための鍵ＩＤ、および携帯端末ＩＤは、上記読み取り部で読み取ったものを用いてもよいし、上記テンキーで入力されたものを用いてもよい。
【００４３】
送受信部３３は、サーバ２との送受信を行う。送受信部３３は、例えば、ペアリング部３２によって対応付けられた、携帯端末１の携帯端末ＩＤと、電気錠３の電気錠ＩＤと、カードキー４の鍵ＩＤとをサーバ２に送信する。
【００４４】
また、送受信部３３は、操作部３１によって特殊コマンドが入力されたときに、その旨および電気錠３の電気錠ＩＤを、解錠許可要求として、サーバ２に送信する。
【００４５】
また、送受信部３３は、サーバ２から解錠指示を受信する。
【００４６】
〔対応付けの方法〕
次に、図４、５を参照して、携帯端末１と電気錠３とカードキー４とを対応付ける処理の流れを説明する。図４は、携帯端末１と電気錠３とカードキー４とを対応付ける処理の流れを示すシーケンス図である。また、図５は、携帯端末１と電気錠３とカードキー４とを対応付ける方法を説明するための図であり、（ａ）は電気錠３とカードキー４とを対応付ける方法を説明するための図であり、（ｂ）は電気錠３と携帯端末１とを対応付ける方法を説明するための図であり、（ｃ）はカードキー４が既に登録されている場合における電気錠３と携帯端末１との対応付け方法を説明するための図であり、（ｄ）は携帯端末１とカードキー４との対応付ける方法を説明するための図である。
【００４７】
図４に示すように、まず、カードキー４の鍵ＩＤを電気錠３に送信することにより（Ｓ１０１）、電気錠３において、電気錠３とカードキー４とを対応付ける（Ｓ１０２）。これは、例えば、図５（ａ）に示すように、電気錠３の解錠用のカードキー４の内部に鍵ＩＤが記録、印字されており、電気錠３の紐づけボタンが押下されたのち、カードキー４を電気錠３に近接させることにより、電気錠３とカードキー４とを対応付けてもよいし、電気錠３のテンキーにより、カードキー４の鍵ＩＤを入力して電気錠３とカードキー４とを対応付けてもよい。なお、電気錠３の紐づけボタンは電気錠３の室内側に設けられていることが望ましい。これにより、第三者により勝手に紐づけが行われてしまうことを防止することができる。このように対応付けることにより、テーブル５０１に示すように、電気錠ＩＤと鍵ＩＤとが対応付けられる。ここに示す例では、電気錠ＩＤ「Ｋ０００１」と鍵ＩＤ「１１１１−２２２２−３３３３」とが対応付けられている。
【００４８】
次に、携帯端末１の携帯端末ＩＤを電気錠３に送信することにより（Ｓ１０３）、電気錠３において、電気錠３と携帯端末１とを対応付ける（Ｓ１０４）。これは、例えば、図５（ｂ）に示すように、電気錠３の紐づけボタンが押下されたのち、携帯端末１を電気錠３に近接させることにより、電気錠３と携帯端末１とを対応付ければよい。なお、携帯端末１の携帯端末ＩＤは、携帯端末１を特定できるものであればよく、ＭＡＣアドレス、電話番号等であってもよい。また、電気錠３のテンキーにより、携帯端末１の携帯端末ＩＤを入力して電気錠３と携帯端末１とを対応付けてもよい。このように対応付けることにより、テーブル５０２に示すように、電気錠ＩＤと鍵ＩＤとが対応付けられる。ここに示す例では、電気錠ＩＤ「Ｋ０００１」と携帯端末ＩＤ「Ｓ０００１」とが対応付けられている。
【００４９】
次に、電気錠３は、電気錠ＩＤと鍵ＩＤと携帯端末ＩＤとを対応付けた状態で、サーバ２に送信する（Ｓ１０５）。これにより、サーバ２において、電気錠、鍵、携帯端末対応テーブル３０１を格納しておくことができる。ステップＳ１０５におけるサーバ２への送信は、暗号化しておくことがセキュリティ上、望ましい。
【００５０】
なお、カードキー４とサーバ２との対応付けと、携帯端末１と電気錠３との対応付けの順序は、逆であってもよい。すなわち、携帯端末１とサーバ２との対応付けを先に行い、その後に、電気錠３とカードキー４との対応付けを行ってもよい。
【００５１】
また、電気錠３に携帯端末１を対応付けるときに、既に電気錠３に複数のカードキー４が対応付けられている場合、既に対応付けられている全てのカードキー４と携帯端末１とが対応付けられてもよいし、特定のカードキー４のみに携帯端末１が対応付けられるものであってもよい。後者の場合、例えば、直近に電気錠３と対応付けられたカードキー４に対して、携帯端末１が対応付けられてもよいし、電気錠３とカードキー４とが対応付けられた後、所定時間内に携帯端末１が対応付けられた場合のみ、携帯端末１と当該カードキー４とが対応付けられるものであってもよい。
【００５２】
例えば、既に対応付けられているカードキー４全てと携帯端末１とが対応付けられる場合、テーブル５０３に示すようになる。ここでは、鍵ＩＤ「１１１１−２２２２−３３３３」と「４４４４−５５５５−６６６６」とが既に電気錠３と対応付けられており、この両方に携帯端末１の携帯端末ＩＤ「Ｓ０００１」とが対応付けられている。
【００５３】
また、いずれかのカードキー４と携帯端末１とが対応付けられる場合、テーブル５０４に示すようになる。ここでは、ここでは、鍵ＩＤ「１１１１−２２２２−３３３３」と「４４４４−５５５５−６６６６」とが既に電気錠３と対応付けられており、このうち鍵ＩＤ「１１１１−２２２２−３３３３」と携帯端末１の携帯端末ＩＤ「Ｓ０００１」とが対応付けられている。
【００５４】
また、電気錠３に対応付けられている、携帯端末１、カードキー４のうち、どの携帯端末１とカードキー４とを対応付けるかと、電気錠３において選択できる構成であってもよい。
【００５５】
また、携帯端末１とカードキー４とを先に対応付けておき、これを電気錠３に登録することによって、携帯端末１とカードキー４と電気錠３とを対応付けてもよい。
【００５６】
また、携帯端末１とカードキー４との対応付けは、図５（ｄ）に示すように、カードキー４を携帯端末１に近接させることにより、カードキー４の鍵ＩＤを携帯端末１に読み込ませて対応付けてもよいし、携帯端末１においてカードキー４の鍵ＩＤを直接入力することにより対応付けを行ってもよい。
【００５７】
〔解錠処理の流れ〕
次に、図６を参照して、解錠処理の流れを説明する。図６は、解錠処理の流れを示すシーケンス図である。図６に示すように、まず、電気錠３において特殊コマンドの入力（解錠許可要求）を受け付ける（Ｓ２０１）。特殊コマンドを受け付けた電気錠３は、その旨、および自身を特定する情報である電気錠ＩＤを、解錠許可要求として、サーバ２に送信する（Ｓ２０２、解錠許可要求取得ステップ）。特殊コマンドおよび電気錠ＩＤを取得したサーバ２では、電気錠ＩＤと対応する携帯端末１を、電気錠、鍵、携帯端末対応テーブル３０１を用いて検索する（Ｓ２０３、携帯端末特定ステップ）。そして、検索した携帯端末１に対し、電気錠３を解錠するための解錠許可要求を送信する（Ｓ２０４、通知ステップ、取得ステップ）。解錠許可要求を受信した携帯端末１は、解錠対象となる電気錠３を特定する錠表示を行い（Ｓ２０５）、解錠指示を受け付け（Ｓ２０６）、自端末を特定する携帯端末ＩＤと電気錠３を解錠するための鍵ＩＤとを対応付けて、解錠許可として、サーバ２に送信する（Ｓ２０７、解錠指示取得ステップ、送信ステップ）。
【００５８】
携帯端末ＩＤと鍵ＩＤを受信したサーバ２は、電気錠、鍵、携帯端末対応テーブル３０１を用いて、受信した携帯端末ＩＤと鍵ＩＤとの対応付けが、電気錠、鍵、携帯端末対応テーブル３０１に含まれているか否かを判定し（Ｓ２０８）、電気錠、鍵、携帯端末対応テーブル３０１に含まれていれば、対応する電気錠３に対し、解錠指示を送信する（Ｓ２０９、解錠ステップ、解錠指示ステップ）。
【００５９】
そして、解錠指示を受信した電気錠３は、解錠を行う（Ｓ２１０）。
【００６０】
図７を参照して、具体的なテーブルを用いて説明する。図７は、解錠処理の流れを説明するための図である。図７に示すように、電気錠３において特殊コマンドが入力されると、特殊コマンドおよび電気錠３の電気錠ＩＤ「Ｋ０００１」がサーバ２に送信される（丸数字１）。特殊コマンドおよび電気錠ＩＤを受信したサーバ２は、電気錠、鍵、携帯端末対応テーブル３０１を参照して、対応する携帯端末１を検索する。ここでは、電気錠ＩＤ「Ｋ０００１」と対応する携帯端末ＩＤ「Ｓ０００１」の携帯端末１が検索される。そして、携帯端末ＩＤ「Ｓ０００１」が示す携帯端末１に、電気錠３を解錠するための解錠許可要求が送信される（丸数字２）。
【００６１】
解錠許可要求を受信した携帯端末１では、解錠対象となる電気錠３を特定するための錠表示がされ、解錠指示を受け付ける（表示されている錠表示が押下される）と、自端末を示す携帯端末ＩＤと鍵ＩＤとを対応づけて解錠許可としてサーバ２に送信する。ここでは、携帯端末ＩＤ「Ｓ０００１」と鍵ＩＤ「１１１１−２２２２−３３３３」とが対応付けて送信される（丸数字３）。
【００６２】
携帯端末ＩＤと鍵ＩＤとを受信したサーバ２では、携帯端末ＩＤ「Ｓ０００１」と鍵ＩＤ「１１１１−２２２２−３３３３」との対応付けが、電気錠、鍵、携帯端末対応テーブル３０１に含まれているか否かを判定する。ここでは、１行目に電気錠ＩＤ「Ｋ０００１」、鍵ＩＤ「１１１１−２２２２−３３３３」、携帯端末ＩＤ「Ｓ０００１」の対応付けがあり、携帯端末ＩＤ「Ｓ０００１」と鍵ＩＤ「１１１１−２２２２−３３３３」との対応付けがある。
【００６３】
よって、携帯端末１から送信された解錠指示は適切なものと判定し、対応する電気錠３（電気錠ＩＤ「Ｋ０００１」によって特定される電気錠３）に解錠指示を送信する（丸数字４）。そして、解錠指示を受信した電気錠３は解錠を実行する。
【００６４】
〔実施形態２〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。図８は、１台の携帯端末１に複数の電気錠３が対応付けられている例を説明するための図である。
【００６５】
本実施形態では、１台の携帯端末１に複数の電気錠３が対応付けられている。図８に示す例では、電気錠ＩＤ「Ｋ０００１」と鍵ＩＤ「１１１１−２２２２−３３３３」と携帯端末ＩＤ「Ｓ０００１」とが対応付けられており、さらに、電気錠ＩＤ「Ｋ０００２」と鍵ＩＤ「４４４４−５５５５−６６６６」と携帯端末ＩＤ「Ｓ０００１」とが対応付けられており、電気錠ＩＤ「Ｋ０００１」と鍵ＩＤ「７７７７−８８８８−９９９９」と携帯端末ＩＤ「Ｓ０００１」とが対応付けられている。
【００６６】
この場合、電気錠ＩＤ「Ｋ０００１」の電気錠３から特殊コマンドおよび電気錠ＩＤ「Ｋ０００１」が送信されると、サーバ２は、電気錠、鍵、携帯端末対応テーブル３０１を参照して、対応する携帯端末１を検索する。そして、携帯端末ＩＤ「Ｓ０００１」が示す携帯端末１に解錠許可要求を送信する。
【００６７】
また、電気錠ＩＤ「Ｋ０００２」の電気錠３から特殊コマンドおよび電気錠ＩＤ「Ｋ０００２」が送信されると、サーバ２は、電気錠、鍵、携帯端末対応テーブル３０１を参照して、対応する携帯端末１を検索する。そして、携帯端末ＩＤ「Ｓ０００１」が示す携帯端末１に解錠許可要求を送信する。
【００６８】
携帯端末１では、電気錠ＩＤ「Ｋ０００１」で特定される電気錠３、および、電気錠ＩＤ「Ｋ０００２」で特定される電気錠３の錠表示がされる。そして、それぞれの錠表示が操作されると、携帯端末１から携帯端末ＩＤ「Ｓ０００１」と鍵ＩＤ「１１１１−２２２２−３３３３」とを対応付けた解錠許可と、携帯端末ＩＤ「Ｓ０００１」と鍵ＩＤ「４４４４−５５５５−６６６６」とを対応付けた解錠許可とが送信される。
【００６９】
サーバ２では、携帯端末ＩＤ「Ｓ０００１」と鍵ＩＤ「１１１１−２２２２−３３３３」との対応付けから、電気錠ＩＤ「Ｋ０００１」を検索し、当該電気錠３に解錠指示を送信する。また、携帯端末ＩＤ「Ｓ０００１」と鍵ＩＤ「４４４４−５５５５−６６６６」との対応付けから、電気錠ＩＤ「Ｋ０００２」を検索し、当該電気錠３に解錠指示を送信する。
【００７０】
以上のように、携帯端末１に複数の電気錠３が対応付けられていた場合でも、それぞれの電気錠３を特定するための錠表示が携帯端末１において行われ、それぞれの電気錠３の解錠許可を適切に実行することができる。
【００７１】
なお、携帯端末１で解錠許可可能な電気錠３が複数存在し、そのうちの一部についてのみ解錠許可要求を受信した場合、解錠許可要求によって特定される電気錠３のみを錠表示として表示してもよいし、携帯端末１で解錠許可可能な電気錠３をすべて表示するとともに、解錠許可要求によって特定される電気錠３の表示をその他の電気錠３の表示と異ならせて表示してもよい。これにより、ユーザは、解錠許可を出そうとしている電気錠３を容易かつ適切に認識することができる。
【００７２】
〔実施形態３〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。図９は、１つの電気錠３に複数の携帯端末１が対応付けられている例を説明するための図である。
１つの電気錠３に複数の携帯端末１が対応付けられている場合、
本実施形態では、１つの電気錠３に複数の携帯端末１が対応付けられている。図９に示す例では、電気錠ＩＤ「Ｋ０００１」と鍵ＩＤ「１１１１−２２２２−３３３３」と携帯端末ＩＤ「Ｓ０００１」とが対応付けられており、さらに、電気錠ＩＤ「Ｋ０００１」と鍵ＩＤ「１１１１−２２２２−３３３３」と携帯端末ＩＤ「Ｓ０００２」とが対応付けられている。また、電気錠ＩＤ「Ｋ０００２」と鍵ＩＤ「４４４４−５５５５−６６６６」と携帯端末ＩＤ「Ｓ０００１」とが対応付けられており、さらに、電気錠ＩＤ「Ｋ０００２」と鍵ＩＤ「４４４４−５５５５−６６６６」と携帯端末ＩＤ「Ｓ０００２」とが対応付けられている。
【００７３】
この場合、電気錠ＩＤ「Ｋ０００１」の電気錠３から特殊コマンドおよび電気錠ＩＤ「Ｋ０００１」が送信されると、サーバ２は、電気錠、鍵、携帯端末対応テーブル３０１を参照して、対応する携帯端末１を検索する。そして、対応する携帯端末１が、携帯端末ＩＤ「Ｓ０００１」と携帯端末ＩＤ「Ｓ０００２」との２つあるので、認証番号提示部が認証番号を電気錠３に提示させる。ここでは、認証番号「１２３４」を提示させている。
【００７４】
認証番号の提示指示を受けた電気錠３は、当該認証番号を、電気錠３の近傍にいるユーザに提示する。認証番号の提示は、電気錠３の近傍にいるユーザ（解錠要求者）に認識させることができるものであればよく、電気錠３の表示部に表示させてもよいし、電気錠３から音声で出力させてもよい。電気錠３の近傍にいるユーザ（解錠要求者）は、解錠許可可能な携帯端末１において、認証番号を入力できるよう携帯端末１のユーザ（解錠許可者）に認証番号を通知する。なお、解錠要求者から解錠許可者への認証番号の通知は、電話等で行ってもよいし、電子メール等で行ってもよいし、口頭で通知してもよい。
【００７５】
認証番号の通知を受けたユーザは、携帯端末１に認証番号を入力する。認証番号の入力を受け付けた携帯端末１は、サーバ２に認証番号を通知する。認証番号の通知を受けたサーバ２は、電気錠３に提示させた認証番号と一致する否か判定し、一致する場合、当該携帯端末１に対し解錠許可要求を送信する。
【００７６】
ここで、認証番号とは、その都度、サーバ２または電気錠３で作成され、所定時間経過後（例えば、６０秒後）に無効になるようなものである。
【００７７】
解錠許可要求を受信した携帯端末１は、上記実施形態と同様に、解錠許可をサーバ２に送信する。
【００７８】
以上のように、１つの電気錠３に複数の携帯端末１が対応付けられている場合、本実施形態では、特定の携帯端末１からのみ、解錠許可を送信することが可能となるようにしている。これは、対応付けられている携帯端末１すべてに解錠許可要求を送信すると、解錠許可者からすれば煩雑となるし、安全上の問題が生じる可能性も高まるためである。
【００７９】
〔実施形態４〕
本発明の他の実施形態について、図１０に基づいて説明すれば、以下のとおりである。図１０は、解錠許可が可能な装置の例を示す図である。なお、説明の便宜上、前記実施形態にて説明した部材と同じ機能を有する部材については、同じ符号を付記し、その説明を省略する。
【００８０】
上述した実施形態では、解錠許可要求を携帯端末１に送信し、携帯端末１において解錠可能な錠の表示を行っていた。解錠許可要求の送信先は、携帯端末１に限られるものではなく、パーソナルコンピュータ（ＰＣ）であってもよいし、ウェアラブル機器であってもよい。
【００８１】
〔実施形態５〕
上記各実施形態では、１つのサーバ２を用いる例を説明したが、サーバ２の有する各機能が、個別のサーバにて実現されていてもよい。そして、複数のサーバを適用する場合においては、各サーバは、同じ事業者によって管理されていてもよいし、異なる事業者によって管理されていてもよい。
【００８２】
〔実施形態６〕
携帯端末１およびサーバ２の各制御ブロック（特に解錠処理部２０（特定情報受付部２０１、携帯端末検索部２０２、携帯端末通知部２０３、解錠指示受付部２０４、携帯端末判定部２０５、解錠部２０６）、および電気錠処理部５０（錠提示部５１、解錠指示部５２、ペアリング部５３））は、集積回路（ＩＣチップ）等に形成された論理回路（ハードウェア）によって実現してもよいし、ＣＰＵ（Central Processing Unit）を用いてソフトウェアによって実現してもよい。後者の場合、携帯端末１およびサーバ２のそれぞれを、図１１に示すようなコンピュータ（電子計算機）を用いて構成することができる。
【００８３】
図１１は、携帯端末１またはサーバ２として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００８４】
補助記憶装置９１４には、コンピュータ９１０を携帯端末１またはサーバ２として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、携帯端末１またはサーバ２が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００８５】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００８６】
〔まとめ〕
本発明の態様１に係る解錠装置（サーバ２）は、通信を介して電気錠（３）を解錠可能な解錠装置であって、上記解錠装置は、記憶部（３０）、解錠許可要求取得部（特定情報受付部２０１）、携帯端末特定部（携帯端末検索部２０２）、通知部（携帯端末通知部２０３）、解錠指示取得部（解錠指示受付部２０４）、および解錠指示部（解錠部２０６）を備え、上記記憶部には、上記電気錠を特定する電気錠特定情報（電気錠ＩＤ）と、該電気錠を解錠するための鍵を特定する鍵特定情報（鍵ＩＤ）と、携帯端末を特定する携帯端末特定情報（携帯端末ＩＤ）と、が対応付けられた対応付けテーブル（電気錠、鍵、携帯端末対応テーブル３０１）が記憶されており、上記解錠許可要求取得部は、上記電気錠を解錠するために必要な解錠許可を求める解錠許可要求を該電気錠から取得し、上記携帯端末特定部は、上記対応付けテーブルを用いて、上記解錠許可要求に含まれる上記電気錠を特定する上記電気錠特定情報と対応する上記携帯端末特定情報を特定し、上記通知部は、上記携帯端末特定情報によって特定される携帯端末に上記電気錠の解錠許可要求を通知し、上記解錠指示取得部は、上記携帯端末から解錠許可を取得し、上記解錠指示部は、上記対応付けテーブルを用いて、上記解錠許可に含まれる上記鍵特定情報と対応する上記電気錠特定情報を特定し、上記電気錠特定情報によって特定される上記電気錠に解錠指示を送信する。
【００８７】
上記の構成によれば、電気錠から解錠許可要求を取得すると、当該解錠許可要求に含まれる電気錠を特定する情報から、対応する携帯端末を検索する。そして、対応する携帯端末に解錠許可要求を送信し、解錠許可を取得する。そして、解錠許可要求の送信元である電気錠に対し、解錠指示を送信する。
【００８８】
これにより、電気錠と対応する携帯端末から解錠許可を取得して、解錠許可要求の送信元となる電気錠を解錠するので、セキュリティを保ちつつ解錠処理を行うことができる。また、電気錠と携帯端末との対応付けから電気錠を解錠するので、簡易な処理で解錠を行うことができる。さらに、解錠装置と携帯端末とが通信を行い、解錠装置と電気錠とが通信を行って、解錠処理を実行するので、携帯端末のユーザが電気錠の近傍にいなくても解錠処理を実行することができる。
【００８９】
本発明の態様２に係る解錠装置は、上記態様１において、上記解錠許可には、送信元である上記携帯端末を特定する上記携帯端末特定情報と、上記鍵特定情報とが含まれており、上記解錠指示部は、上記携帯端末特定情報と上記鍵特定情報との対応付けが、上記対応付けテーブルに含まれている場合、上記解錠指示を上記電気錠に送信する。
【００９０】
上記の構成によれば、解錠許可に含まれる、携帯端末特定情報と鍵特定情報との対応付けが、対応テーブルに含まれている場合に、解錠指示を送信する。換言すれば、携帯端末特定情報と鍵特定情報との対応付けが、対応テーブルに含まれていない場合は、解錠指示が送信されない。よって、確実に携帯端末特定情報と鍵特定情報との対応付けられていないと、解錠指示が送信されないので、セキュリティをより強固にすることができる。
【００９１】
本発明の態様３に係る解錠装置は、上記態様１または２において、さらに認証番号提示部を備え、上記認証番号提示部は、上記電気錠を解錠する解錠許可を送信可能な上記携帯端末が複数ある場合、上記電気錠に当該電気錠の近傍に対して認証番号を提示させ、上記通知部は、上記認証番号を送信してきた上記携帯端末に、上記解錠許可要求を通知する。
【００９２】
上記の構成によれば、電気錠と対応付けられた携帯端末が複数存在する場合に、適切な携帯端末に解錠許可要求を通知することができる。
【００９３】
本発明の態様４に係る解錠装置は、上記態様１〜３のいずれかにおいて、さらに、対応情報取得部（ペアリング情報取得部４０）を備え、上記対応情報取得部は、上記電気錠特定情報と上記鍵特定情報と上記携帯端末特定情報とを対応付けた対応情報を上記電気錠から予め取得する。
【００９４】
上記の構成によれば、対応付けテーブルを予め取得しておくことができる。
【００９５】
本発明の態様５に係る携帯端末（１）は、通信を介して電気錠を解錠可能な解錠装置と通信可能な携帯端末であって、上記携帯端末は、取得部（錠提示部５１）および送信部（解錠指示部５２）を備え、上記取得部は、上記解錠装置から、上記電気錠を解錠するために必要な解錠許可を求める解錠許可要求を取得し、上記送信部は、上記解錠許可要求に対する解錠許可を、上記電気錠を解錠するための鍵を特定した鍵特定情報を含めて上記解錠装置に送信する。
【００９６】
上記の構成によれば、解錠許可要求を送信した電気錠を解錠するための解錠許可を携帯端末から送信することができる。これにより、電気錠の解錠許可を携帯端末を介して実行することができる。
【００９７】
本発明の態様６に係る携帯端末は、上記態様５において、さらに表示制御部を備え、上記表示制御部は、上記解錠許可要求によって特定される電気錠を、自端末により解錠許可が可能な他の電気錠と異ならせて表示する。
【００９８】
上記の構成によれば、自端末によって解錠可能な電気錠が複数存在する場合に、解錠許可要求によって特定される電気錠を、解錠許可が可能な他の電気錠と異ならせて表示する。これにより、今、解錠を許可しようとしている電気錠がどの電気錠であるのかを明確にユーザに認識させることができる。
【００９９】
本発明の態様７に係る電気錠は、解錠装置によって通信を介して解錠可能な電気錠であって、上記電気錠は、対応付け部を備え、上記対応付け部は、自錠を解錠可能な鍵を特定する鍵特定情報、および、自錠の解錠を許可可能な携帯端末を特定する携帯端末特定情報を取得して、自錠を特定する電気錠特定情報と、上記鍵特定情報と、上記携帯端末特定情報とを対応付けて、上記解錠装置に送信する。
【０１００】
上記の構成によれば、電気錠特定情報と、鍵特定情報と、携帯端末特定情報とを確実に対応付けて、解錠装置に保持させることができる。
【０１０１】
本発明の態様８に係る解錠システムは、電気錠と、該電気錠と通信可能で該電気錠を解錠可能な解錠装置と、該解錠装置と通信可能な携帯端末とを含む解錠システムであって、上記解錠装置は、上記電気錠を特定する電気錠特定情報と、該電気錠を解錠するための鍵を特定する鍵特定情報と、携帯端末を特定する携帯端末特定情報と、が対応付けられた対応付けテーブルを記憶しており、上記電気錠を解錠するために必要な解錠許可を求める解錠許可要求を該電気錠から取得し、上記対応付けテーブルを用いて、上記解錠許可要求に含まれる上記電気錠を特定する上記電気錠特定情報と対応する上記携帯端末特定情報を特定し、上記携帯端末特定情報によって特定される携帯端末に上記電気錠の解錠許可要求を通知し、上記携帯端末から解錠許可を取得し、上記対応付けテーブルを用いて、上記解錠許可に含まれる上記鍵特定情報と対応する上記電気錠特定情報を特定し、上記電気錠特定情報によって特定される上記電気錠に解錠指示を送信し、上記携帯端末は、上記解錠装置から、上記電気錠を解錠するために必要な解錠許可を求める解錠許可要求を取得し、上記解錠許可要求に対する解錠許可を、上記電気錠を解錠するための鍵を特定した鍵特定情報を含めて上記解錠装置に送信する。
【０１０２】
これにより、上記態様１および上記態様５と同様の効果を奏する。
【０１０３】
本発明の態様９に係る解錠装置の制御方法は、通信を介して電気錠を解錠可能な解錠装置の制御方法であって、上記解錠装置の制御方法は、解錠許可要求取得ステップ、携帯端末特定ステップ、通知ステップ、解錠指示取得ステップ、および解錠指示ステップを含み、記憶部には、上記電気錠を特定する電気錠特定情報と、該電気錠を解錠するための鍵を特定する鍵特定情報と、携帯端末を特定する携帯端末特定情報と、が対応付けられた対応付けテーブルが記憶されており、上記解錠許可要求取得ステップでは、上記電気錠を解錠するために必要な解錠許可を求める解錠許可要求を該電気錠から取得し、上記携帯端末特定ステップでは、上記対応付けテーブルを用いて、上記解錠許可要求に含まれる上記電気錠を特定する上記電気錠特定情報と対応する上記携帯端末特定情報を特定し、上記通知ステップでは、上記携帯端末特定情報によって特定される携帯端末に上記電気錠の解錠許可要求を通知し、上記解錠指示取得ステップでは、上記携帯端末から解錠許可を取得し、上記解錠指示ステップでは、上記対応付けテーブルを用いて、上記解錠許可に含まれる上記鍵特定情報と対応する上記電気錠特定情報を特定し、上記電気錠特定情報によって特定される上記電気錠に解錠指示を送信する。
【０１０４】
これにより、上記態様１と同様の効果を奏する。
【０１０５】
本発明の態様１０に係る携帯端末の制御方法は、通信を介して電気錠を解錠可能な解錠装置と通信可能な携帯端末の制御方法であって、上記携帯端末の制御方法では、取得ステップおよび送信ステップを含み、上記取得ステップでは、上記解錠装置から、上記電気錠を解錠するために必要な解錠許可を求める解錠許可要求を取得し、上記送信ステップでは、上記解錠許可要求に対する解錠許可を、上記電気錠を解錠するための鍵を特定した鍵特定情報を含めて上記解錠装置に送信する。
【０１０６】
これにより、上記態様５と同様の効果を奏する。
【０１０７】
本発明の各態様に係る携帯端末１およびサーバ２は、コンピュータによって実現してもよく、この場合には、コンピュータを上記携帯端末１およびサーバ２が備える各部（ソフトウェア要素）として動作させることにより上記携帯端末１およびサーバ２をコンピュータにて実現させる携帯端末１およびサーバ２制御プログラム、およびそれを記録したコンピュータ読み取り可能な記録媒体も、本発明の範疇に入る。
【０１０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０９】
１  携帯端末
２  サーバ（解錠装置）
３  電気錠
４  カードキー
２０  解錠処理部
３０、６０  記憶部
３１  操作部
３２、５３  ペアリング部
３３  送受信部
４０  ペアリング情報取得部（対応情報取得部）
５０  電気錠処理部
５１  錠提示部（表示制御部、取得部）
５２  解錠指示部（送信部）
６１  キーテーブル
７０  操作受付部
８０  表示部
１００  解錠システム
２０１  特定情報受付部（解錠許可要求取得部）
２０２  携帯端末検索部（携帯端末特定部）
２０３  携帯端末通知部（通知部）
２０４  解錠指示受付部（解錠指示取得部）
２０５  携帯端末判定部
２０６  解錠部（解錠指示部）
３０１  携帯端末対応テーブル
【図１】
0006660769.tif 000002
【図２】
0006660769.tif 000003
【図３】
0006660769.tif 000004
【図４】
0006660769.tif 000005
【図５】
0006660769.tif 000006
【図６】
0006660769.tif 000007
【図７】
0006660769.tif 000008
【図８】
0006660769.tif 000009
【図９】
0006660769.tif 000010
【図１０】
0006660769.tif 000011
【図１１】
0006660769.tif 000012